(57)【要約】【課題】防犯性の高い底面が平面のタイプの装置を、防犯性を維持しつつ、従来のアジャスタ付装置のように、簡単に省スペ−スで運搬・設置を行なう。  【解決手段】ＡＴＭ1の底面１２が平面であり、金庫５を有し、金庫５の下部の例えば４箇所に、ボルト７を通すネジ穴があり、着脱可能なボルト７がある。ＡＴＭ１の運搬・設置時に、金庫扉８を開けて、ＡＴＭ１内の例えば紙幣ユニット６を引き出して、ボルト７を上から挿入して、スパナ等で締め付けてＡＴＭ１の底にボルト７を出してＡＴＭ１を上に持ち上げる。４箇所のボルト７を順番に少しずつ締め付けて、ＡＴＭ１の底にポ−タが入る高さまでＡＴＭ１を持ち上げる。その後、ポ−タをＡＴＭ１の底に差し込んでＡＴＭ１を持ち上げて設置場所まで運ぶ。ポ−タを抜いてから、４箇所のボルト７を順番に少しずつ緩め、ボルト７を抜き取って設置する。【選択図】図１
2013020319.tif 000002
【特許請求の範囲】
【請求項１】
装置の底面が平面であり、装置に金庫を有し、金庫の下部の例えば４箇所に、ボルトを通すネジ穴があり、着脱可能なボルトがあり、装置の運搬・設置時に、金庫の扉を開けて、装置内の例えば紙幣ユニットを引き出して、ボルトを上から挿入して、スパナ等で締め付けて装置の底にボルトを出して装置を上に持ち上げ、４箇所のボルトを順番に少しずつ締め付けて、装置の底にポ−タが入る高さまで装置を持ち上げ、その後、ポ−タを装置の底に差し込んで装置を持ち上げて設置場所まで運び、ポ−タを抜いてから、４箇所のボルトを順番に少しずつ緩め、ボルトを抜き取って設置することを特徴とする取引装置。
【請求項２】
装置の底面が平面であり、装置に金庫を有し、金庫の下方の底面に、例えば２個の着脱可能な保護板金があり、保護板金は設置状態では、金庫の下方にネジ等にて固定してあり、装置の底面と同様の位置にて平面となり、装置の後方と同等の位置にて平面となり、装置の運搬・設置時に、金庫の扉を開けて、装置内の例えば紙幣ユニットを引き出して、保護板金を固定しているネジ等を外して、保護板金を取外しポ−タ挿入エリアを設け、その後、ポ−タを装置のポータ挿入エリアに差し込んで装置を持ち上げて設置場所まで運び、ポ−タを抜いてから、保護板金を装置の底に固定して元に戻し設置することを特徴とする取引装置。
【請求項３】
装置の底面が平面であり、装置に金庫を有し、金庫の下部の例えば２箇所に、リフト挿入部を設け、装置の運搬・設置時に、金庫の扉を開けて、開けたままの状態で、リフト挿入部にリフトを差し込んで装置を持ち上げて設置場所まで運び、その後リフトを抜いて設置することを特徴とする取引装置。
【発明の詳細な説明】
【技術分野】
【０００１】
本発明は、例えば金融機関等に設置される現金自動取引装置等にて、ポ−タ・リフト等によって、装置毎盗難されることを防止するため、ＡＴＭ底面にアジャスタやキャスタ等が無く、底面を平面にした装置を、運搬・設置する対策を施した装置に関する。
【背景技術】
【０００２】
底面が平面である現金自動取引装置（ＡＴＭ）を、現地に設置する方法として、リフトで設置場所まで運び、設置位置にブロックや金属板を置き、その上にＡＴＭを降ろした後で、ジャッキやバ−ルにて底面を持ち上げながら、少しずつ薄い金属板に変更し、最後に床面にＡＴＭを降ろす方法がある。
【０００３】
また、特開平６−１７３５３１号公報がある。この公報には、「設置場所にて盗難防止を考慮した金庫を組立てて設置する。」と記載されている。
【先行技術文献】
【特許文献】
【０００４】
【特許文献１】特開平６−１７３５３１号公報
【発明の概要】
【発明が解決しようとする課題】
【０００５】
ジャッキやバ−ルにて底面を持ち上げながらＡＴＭを設置するには、バ−ル等の操作のため、ＡＴＭ設置場所の前後または左右の周囲に広い作業エリアが必要となる。しかし銀行等の設置場所は狭く、広い作業エリアを取れず、この方法では非常に困難または不可能である。
【０００６】
また、中身が空の収納用金庫とは違い、ＡＴＭは精密なユニットを搭載しているため、設置場所にて簡単に組立てることもできない。
【０００７】
本発明の目的は、防犯性の高い底面が平面のタイプの装置を、防犯性を維持しつつ、従来のアジャスタ付装置のように、簡単に省スペ−スで運搬・設置を行なうことにある。
【課題を解決するための手段】
【０００８】
上記の目的を達成するために、本発明の第1の発明による取引装置においては、装置の底面が平面であり、装置に金庫を有し、金庫の下部の例えば４箇所に、ボルトを通すネジ穴があり、着脱可能なボルトがある。装置の運搬・設置時に、金庫の扉を開けて、装置内の例えば紙幣ユニットを引き出して、ボルトを上から挿入して、スパナ等で締め付けて装置の底にボルトを出して装置を上に持ち上げる。４箇所のボルトを順番に少しずつ締め付けて、装置の底にポ−タが入る高さまで装置を持ち上げる。その後、ポ−タを装置の底に差し込んで装置を持ち上げて設置場所まで運ぶ。ポ−タを抜いてから、４箇所のボルトを順番に少しずつ緩め、ボルトを抜き取って設置することを特徴とする。
【０００９】
上記の目的を達成するために、本発明の第２の発明による取引装置においては、装置の底面が平面であり、装置に金庫を有し、金庫の下方の底面に、例えば２個の着脱可能な保護板金がある。保護板金は設置状態では、金庫の下方にネジ等にて固定してあり、装置の底面と同様の位置にて平面となり、装置の後方と同等の位置にて平面となる。装置の運搬・設置時に、金庫の扉を開けて、装置内の例えば紙幣ユニットを引き出して、保護板金を固定しているネジ等を外して、保護板金を取外しポ−タ挿入エリアを設ける。その後、ポ−タを装置のポータ挿入エリアに差し込んで装置を持ち上げて設置場所まで運ぶ。ポ−タを抜いてから、保護板金を装置の底に固定して元に戻し設置することを特徴とする。
上記の目的を達成するために、本発明の第３の発明による取引装置においては、装置の底面が平面であり、装置に金庫を有し、金庫の下部の例えば２箇所に、リフト挿入部を設ける。装置の運搬・設置時に、金庫の扉を開けて、開けたままの状態で、リフト挿入部にリフトを差し込んで装置を持ち上げて設置場所まで運ぶ。その後リフトを抜いて設置することを特徴とする。
【発明の効果】
【００１０】
本発明により、装置設置後に、防犯性の高い底面が平面のタイプの装置の、防犯性を
持しつつ、従来のアジャスタ付装置のように、簡単に省スペ−スで運搬・設置を行なうことができる。
【図面の簡単な説明】
【００１１】
【図１】実施例１のボルトで持ち上げるＡＴＭの外観図である。
【図２】本発明が適用されるＡＴＭの基本構成を示すブロック構成図である。
【図３】実施例２の保護板金付のＡＴＭの外観図である。
【図４】実施例３のリフト挿入部付のＡＴＭの外観図である。
【発明を実施するための形態】
【００１２】
以下、実施例を図面を用いて説明する。
【実施例１】
【００１３】
本発明が適用される取引装置としての現金自動取引装置（ＡＴＭ）の基本構成を図２に示す。ＡＴＭ１は、カードリーダ２、明細票ユニット３、制御部４、紙幣ユニット６、金庫５を有する。ＡＴＭ１は、ポ−タ・リフト等によって、装置毎盗難されることを防止するため、ＡＴＭ１の底面１２にアジャスタやキャスタ等が無く、底面１２を平面とする。
そのＡＴＭ１を運搬・設置する対策について説明する。
【００１４】
本発明の第1の実施例を図１にて説明する。ＡＴＭ1の底面１２が平面であり、金庫５を有し、金庫５の下部の例えば４箇所に、ボルト７を通すネジ穴があり、着脱可能なボルト７がある。ＡＴＭ１の運搬・設置時に、金庫扉８を開けて、ＡＴＭ１内の例えば紙幣ユニット６を引き出して、ボルト７を上から挿入して、スパナ等で締め付けてＡＴＭ１の底にボルト７を出してＡＴＭ１を上に持ち上げる。４箇所のボルト７を順番に少しずつ締め付けて、ＡＴＭ１の底にポ−タが入る高さまでＡＴＭ１を持ち上げる。その後、ポ−タをＡＴＭ１の底に差し込んでＡＴＭ１を持ち上げて設置場所まで運ぶ。ポ−タを抜いてから、４箇所のボルト７を順番に少しずつ緩め、ボルト７を抜き取って設置する。設置後は、ＡＴＭ1の底面１２が平面となるため、防犯性が維持できる。
【００１５】
設置後、ボルト７抜き取った後のネジ穴は、ボルト７を入れられないよう金具等で塞いでおいてもよい。
【実施例２】
【００１６】
本発明の第２の実施例を図３にて説明する。ＡＴＭ１の底面１２が平面であり、ＡＴＭ１に金庫５を有し、金庫５の下方の底面１２に、例えば２個の着脱可能な保護板金９がある。保護板金９は設置状態では、金庫５の下方にネジ・ボルト等にて固定してあり、ＡＴＭ１の底面１２と同様の位置にて平面となり、ＡＴＭ１の後方と同等の位置にて平面となる。ＡＴＭ１の運搬・設置時に、金庫扉８を開けて、ＡＴＭ１内の例えば紙幣ユニット６を引き出して、保護板金９を固定しているネジ・ボルト等を外して、保護板金９を取外しポ−タ挿入エリア１０を設ける。その後、ポ−タをＡＴＭ１のポータ挿入エリア１０に差し込んでＡＴＭ１を持ち上げて設置場所まで運ぶ。ポ−タを抜いてから、保護板金９をＡＴＭ１の底に固定して元に戻し設置する。設置後は、ＡＴＭ1の底面１２が平面となるため、防犯性が維持できる。
【実施例３】
【００１７】
本発明の第３の実施例を図４にて説明する。ＡＴＭ１の底面１２が平面であり、ＡＴＭ１に金庫５を有し、金庫５の下部の例えば２箇所に、リフト挿入部１１を設ける。ＡＴＭ１の運搬・設置時に、金庫扉８を開けて、開けたままの状態で、リフト挿入部１１にリフトを差し込んでＡＴＭ１を持ち上げて設置場所まで運ぶ。その後リフトを抜いて設置する。
【００１８】
設置後、リフト挿入部１１にリフトを差し込まれないように、リフト挿入部１１を取外してもよい。
【符号の説明】
【００１９】
１…ＡＴＭ、２…カードリーダ、３…明細票ユニット、４…制御部、５…金庫、６…紙幣ユニット、７…ボルト、８…金庫扉、９…保護板金、１０…ポ−タ挿入エリア、１１…リフト挿入部、１２…底面。
【図１】
2013020319.tif 000003
【図２】
2013020319.tif 000004
【図３】
2013020319.tif 000005
【図４】
2013020319.tif 000006